(57)【要約】      （修正有）【課題】弾性変形可能なこぶ部を有する紐からなり、長さ調節が自在なヘアバンドを提供する。【解決手段】ヘアバンドを構成する紐１は外層と当該外層の内部に配置される芯材からなり、外層は、外層用糸を疎に編み込んだこぶ部２と、外層用糸を密に編み込むことで形成したこぶ部より小径な連結部３から構成され、外層のこぶ部は弾性変形可能であり、芯材は、伸縮性を有する紐で構成され、こぶ部の内部に弛緩及び／又は蛇行するよう配置し、紐の両端をスライド自在に固定する固定具１１とからなる。【選択図】図１
2020162717.tif 000002
【特許請求の範囲】
【請求項１】
こぶ部を軸線方向に複数配置し、軸線方向に弾性変形可能な紐と、前記紐の両端を合わせて固定する固定具からなるヘアバンドであって、
前記紐は、当該紐の外形を形成する外層と、当該外層の内部全長に渡って連続配置される芯材からなり、
前記外層は、
外層用糸が疎に編み込まれた前記こぶ部と、前記外層用糸が密に編み込まれ、かつ前記こぶ部より小径な連結部とから構成され、当該外層に形成される前記こぶ部は弾性変形可能であり、
前記芯材は、
伸縮性を有する紐で構成され、前記こぶ部の内部に弛緩及び／又は蛇行した状態で配置され、
前記固定具は、前記こぶ部の外径より小さく、かつ前記連結部の径より大きな１つ又は２つの通し孔を有する、
ことを特徴とする弾性変形可能なヘアバンド。
【請求項２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項１に記載の弾性変形可能なヘアバンド。
【請求項３】
前記芯材に用いる前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項１に記載の弾性変形可能なヘアバンド。
【請求項４】
前記伸縮性糸及び前記伸縮性繊維は、合成ゴム又は天然ゴム素材からなる、
ことを特徴とする請求項２又は３に記載の弾性変形可能なヘアバンド。
【請求項５】
前記非伸縮性糸及び前記非伸縮性繊維は、ナイロン又はポリエステル素材からなる、
ことを特徴とする請求項２又は３に記載の弾性変形可能なヘアバンド。
【請求項６】
前記芯材に用いる前記紐は、組紐又はリリアン編み紐である、
ことを特徴とする請求項２又は３に記載の弾性変形可能なヘアバンド。
【請求項７】
前記外層は、組紐である、
ことを特徴とする請求項１ないし６のいずれか１項に記載の弾性変形可能なヘアバンド。
【請求項８】
前記外層用糸は、伸縮性糸と非伸縮性糸との組合せ、又は伸縮性繊維と非伸縮性繊維を一体化した伸縮性複合繊維糸である、
ことを特徴とする請求項１ないし７のいずれか１項に記載の弾性変形可能なヘアバンド。
【請求項９】
前記こぶ部の径は、全て同一径である、
ことを特徴とする請求項１ないし８のいずれか１項に記載の弾性変形可能なヘアバンド。
【請求項１０】
前記こぶ部の径は、複数の異なる径で構成される、
ことを特徴とする請求項１ないし８のいずれか１項に記載の弾性変形可能なヘアバンド。
【請求項１１】
こぶ部と長尺弾性部を軸線方向に配置し、軸線方向に弾性変形可能な紐と、前記紐の両端を合わせて固定する固定具からなるヘアバンドであって、
前記紐は、当該紐の外形を形成する外層と、当該外層の内部全長に渡って連続配置される芯材からなり、
前記外層は、
外層用糸が疎に編み込まれた前記こぶ部及び前記長尺弾性部と、前記外層用糸が密に編み込まれ、かつ前記こぶ部及び前記長尺弾性部より小径な連結部とから構成され、当該外層の前記こぶ部及び前記長尺弾性部は弾性変形可能であり、
前記芯材は、
伸縮性を有する紐で構成され、前記こぶ部の内部及び前記長尺弾性部の内部に弛緩及び／又は蛇行した状態で配置され、
前記こぶ部は、前記紐の両端側に複数個対称に配置され、
前記固定具は、前記こぶ部の外径より小さく、かつ前記連結部の径より大きな１つ又は２つの通し孔を有する、
ことを特徴とする弾性変形可能なヘアバンド。
【請求項１２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項１１に記載の弾性変形可能なヘアバンド。
【請求項１３】
前記芯材に用いる前記前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項１１に記載の弾性変形可能なヘアバンド。
【請求項１４】
前記伸縮性糸及び前記伸縮性繊維は、合成ゴム又は天然ゴム素材からなる、
ことを特徴とする請求項１２又は１３に記載の弾性変形可能なヘアバンド。
【請求項１５】
前記非伸縮性糸及び前記非伸縮性繊維は、ナイロン又はポリエステル素材からなる、
ことを特徴とする請求項１２又は１３に記載の弾性変形可能なヘアバンド。
【請求項１６】
前記芯材に用いる前記紐は、組紐又はリリアン編み紐である、
ことを特徴とする請求項１２又は１３に記載の弾性変形可能なヘアバンド。
【請求項１７】
前記外層は、組紐である、
ことを特徴とする請求項１１ないし１６のいずれか１項に記載の弾性変形可能なヘアバンド。
【請求項１８】
前記外層用糸は、伸縮性糸と非伸縮性糸との組合せ、又は伸縮性繊維と非伸縮性繊維を一体化した伸縮性複合繊維糸である、
ことを特徴とする請求項１１ないし１７のいずれか１項に記載の弾性変形可能なヘアバンド。
【請求項１９】
前記こぶ部の径と前記長尺弾性部の径は、同一径である、
ことを特徴とする請求項１１ないし１８のいずれか１項に記載の弾性変形可能なヘアバンド。
【請求項２０】
前記長尺弾性部の径は、前記こぶ部の径より小径又は大径である、
ことを特徴とする請求項１１ないし１８のいずれか１項に記載の弾性変形可能なヘアバンド。
【請求項２１】
左右両端領域に弾性変形可能なこぶ部を複数対象に配置し、軸線方向に弾性変形可能な紐と、前記紐の両端を合わせて固定する固定具からなるヘアバンドであって、
前記左右両端領域を除く中間領域が異なる弾性力を有する複数の領域に分けられて構成され、かつ軸線方向全長に渡って断面が略同一の円形形状であり、
前記紐は、当該紐の外形を形成する外層と、当該外層の内部全長に渡って連続配置される芯材からなり、
前記外層の前記中間領域は、外層用糸を異なる編み込みにより異なる弾性力を有する領域が複数形成され、
前記外層の前記左右両端領域は、外層用糸を密に編み込んで形成され、
前記芯材は、伸縮性を有する紐で構成され、前記中間領域の内部に弛緩及び／又は蛇行した状態で配置され、
前記こぶ部とこぶ部の間は、弾性変形せず、かつこぶ部の径より小径な連結部で構成され、
前記固定具は、前記こぶ部の外径より小さく、かつ前記連結部の径より大きな１つ又は２つの通し孔を有する、
ことを特徴とする弾性変形可能なヘアバンド。
【請求項２２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項２１に記載の弾性変形可能なヘアバンド。
【請求項２３】
前記芯材に用いる前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項２１に記載の弾性変形可能なヘアバンド。
【請求項２４】
前記伸縮性糸及び前記伸縮性繊維は、合成ゴム又は天然ゴム素材からなる、
ことを特徴とする請求項２２又は２３に記載の弾性変形可能なヘアバンド。
【請求項２５】
前記非伸縮性糸及び前記非伸縮性繊維は、ナイロン又はポリエステル素材からなる、
ことを特徴とする請求項２２又は２３に記載の弾性変形可能なヘアバンド。
【請求項２６】
前記芯材に用いる前記紐は、組紐又はリリアン編み紐である、
ことを特徴とする請求項２２又は２３に記載の弾性変形可能なヘアバンド。
【請求項２７】
前記外層は、組紐である、
ことを特徴とする請求項２１ないし２６のいずれか１項に記載の弾性変形可能なヘアバンド。
【請求項２８】
前記外層用糸は、伸縮性糸と非伸縮性糸との組合せ、又は伸縮性繊維と非伸縮性繊維を一体化した伸縮性複合繊維糸である、
ことを特徴とする請求項２１ないし２７のいずれか１項に記載の弾性変形可能なヘアバンド。
【請求項２９】
前記中間領域は、弾性力が異なる２種類又は３種類の領域を、軸線方向に沿って交互に配置して構成されている、
ことを特徴とする請求項２１ないし２８のいずれか１項に記載の弾性変形可能なヘアバンド。
【請求項３０】
前記中間領域は、一方端部から他方端部に向かって、弾性力が徐々に低くなる複数の領域を軸線方向に沿って順に配置して構成されている、
ことを特徴とする請求項２１ないし２８のいずれか１項に記載の弾性変形可能なヘアバンド。
【発明の詳細な説明】
【技術分野】
【０００１】
本発明は、弾性変形可能なヘアバンドに関する。
【背景技術】
【０００２】
ヘアバンドは、長髪の者がスポーツのシーンで良く使用するものであり、非伸縮布製の鉢巻と違い、弾性力によって締め付けることで、髪の乱れを効果的に抑止することができるとともに、適度な締め付けによって精神を高揚させ集中力を高める効果がある。
【０００３】
特許文献１〜３に示す従来のヘアバンドは、いずれも平面的な構造であるとともに、使用者の頭部の大きさや形状に合わせた調整、また使用者の好みに応じた緊締圧力の調整ができなかった。
【先行技術文献】
【特許文献】
【０００４】
【特許文献１】特開平１１−９９０１２号公報
【特許文献２】特許第５６９９２３８号
【特許文献３】特許第６１３０５８２号
【発明の概要】
【発明が解決しようとする課題】
【０００５】
本願発明は、上記した従来技術が有する課題を解決し、こぶ部によって使用者の頭部を点で緊締することで適度な締め付け効果を発揮するとともに、使用者の頭部の大きさ、形状等に合わせた好みに応じた締め付け力を調整できるヘアバンドを提供することを目的とする。
【０００６】
また本願発明は、適度な大きさからなる弾性変形可能な長尺弾性部によって使用者の頭部を緊締することで適度な締め付け効果を発揮するとともに、使用者の頭部の大きさ、形状、好みに応じた締め付け力を調整できるヘアバンドを提供することを目的とする。
【０００７】
更に本願発明は、引張弾性率が異なる複数の弾性部によって使用者の頭部を緊締することで適度な締め付け効果を発揮するとともに、使用者の頭部の大きさ、形状、好みに応じた締め付け力を調整できるヘアバンドを提供することを目的とする。
【課題を解決するための手段】
【０００８】
上記の目的を達成するため、本願の第一の発明は、こぶ部を軸線方向に複数配置し、軸線方向に弾性変形可能な紐と、前記紐の両端を合わせて固定する固定具からなるヘアバンドであって、前記紐は、当該紐の外形を形成する外層と、当該外層の内部全長に渡って連続配置される芯材からなり、前記外層は、外層用糸が疎に編み込まれた前記こぶ部と、前記外層用糸が密に編み込まれ、かつ前記こぶ部より小径な連結部とから構成され、当該外層に形成される前記こぶ部は弾性変形可能であり、前記芯材は、伸縮性を有する紐で構成され、前記こぶ部の内部に弛緩及び／又は蛇行した状態で配置され、前記固定具は、前記こぶ部の外径より小さく、かつ前記連結部の径より大きな１つ又は２つの通し孔を有する、ことを特徴とする。
【０００９】
また上記の目的を達成するため、本願の第二の発明は、こぶ部と長尺弾性部を軸線方向に配置し、軸線方向に弾性変形可能な紐と、前記紐の両端を合わせて固定する固定具からなるヘアバンドであって、前記紐は、当該紐の外形を形成する外層と、当該外層の内部全長に渡って連続配置される芯材からなり、前記外層は、外層用糸が疎に編み込まれた前記こぶ部及び前記長尺弾性部と、前記外層用糸が密に編み込まれ、かつ前記こぶ部及び前記長尺弾性部より小径な連結部とから構成され、当該外層の前記こぶ部及び前記長尺弾性部は弾性変形可能であり、前記芯材は、伸縮性を有する紐で構成され、前記こぶ部の内部及び前記長尺弾性部の内部に弛緩及び／又は蛇行した状態で配置され、前記こぶ部は、前記紐の両端側に複数個対称に配置され、前記固定具は、前記こぶ部の外径より小さく、かつ前記連結部の径より大きな１つ又は２つの通し孔を有する、ことを特徴とする。
【００１０】
更に上記の目的を達成するため、本願の第三の発明は、左右両端領域に弾性変形可能なこぶ部を複数対象に配置し、軸線方向に弾性変形可能な紐と、前記紐の両端を合わせて固定する固定具からなるヘアバンドであって、左右両端領域を除く中間領域が異なる弾性力を有する複数の領域に分けられて構成され、かつ軸線方向全長に渡って断面が略同一の円形形状であり、前記紐は、当該紐の外形を形成する外層と、当該外層の内部全長に渡って連続配置される芯材からなり、前記外層の前記中間領域は、外層用糸を異なる編み込みにより異なる弾性力を有する領域が複数形成され、前記外層の前記左右両端領域は、外層用糸を密に編み込んで形成され、前記芯材は、伸縮性を有する紐で構成され、前記中間領域の内部に弛緩及び／又は蛇行した状態で配置され、前記こぶ部とこぶ部の間は、弾性変形せず、かつこぶ部の径より小径な連結部で構成され、前記固定具は、前記こぶ部の外径より小さく、かつ前記連結部の径より大きな１つ又は２つの通し孔を有する、ことを特徴とする。
【発明の効果】
【００１１】
上記構成を有する本願の第一発明によれば、弾性変形可能なこぶ部によって使用者の頭部を点で緊締することで適度な締め付け効果を発揮するとともに、固定具による長さ調節により、使用者の頭部の大きさ、形状、好みに応じた締め付け力を調整できる。
【００１２】
また上記構成を有する本願の第二発明によれば、適度な大きさからなる弾性変形可能な長尺弾性部によって使用者の頭部を緊締することで適度な締め付け効果を発揮するとともに、固定具による長さ調節により、使用者の頭部の大きさ、形状、好みに応じた締め付け力を調整できる。
【００１３】
また上記構成を有する本願の第三発明によれば、引張弾性率が異なる複数の弾性部によって使用者の頭部を緊締することで適度な締め付け効果を発揮するとともに、固定具による長さ調節により、使用者の頭部の大きさ、形状、好みに応じた締め付け力を調整できる。
【図面の簡単な説明】
【００１４】
【図１】本発明の第一実施形態に係るヘアバンド全体斜視図。
【図２】ヘアバンド紐と固定具の関係を示す図。
【図３】本発明の第一実施形態に係る紐の断面を模式的に説明するための図。
【図４】紐の製造装置及び製造方法を模式的に説明するための図。
【図５】本発明の第一実施形態の変形例に係る紐の断面を模式的に説明するための図。
【図６】本発明の第二実施形態に係る紐の断面を模式的に説明するための図。
【図７】本発明の第三実施形態に係る紐の断面を模式的に説明するための図。
【図８】固定具の構造を示す図。
【発明を実施するための形態】
【００１５】
以下、本発明の各実施形態について図面を用いて詳細に説明する。なお、本発明はこれらの実施形態に何ら限定されるものではなく、その要旨を逸脱しない範囲内において、様々な態様で実施し得る。なお、本発明で言う芯材の「弛緩及び／又は蛇行した状態」とは、弾性力を有する芯材が、真っ直ぐに伸びた状態ではなく、弛緩し、蛇行した状態の形状を意味するものである。
【００１６】
図１は、本発明の第一実施形態に係るヘアバンドの全体斜視図である。図１は、ヘアバンドに対して外力が働いていない自然状態を示す全体像であり、ヘアバンドは、１本のヘアバンド紐１（以下、紐１と言う）と固定具１１から構成されている。紐１は、軸線方向に同一径の複数のこぶ部２が適宜の間隔をおいて配置され、こぶ部２とこぶ部２との間は、小径の連結部３によって連結されている。
【００１７】
図２に示すとおり、紐１の左右の端部領域に形成されている弾性変形可能なこぶ部２を固定具１１に形成された通し孔１２に通し、紐１をヘアバンドとして使用可能な輪の状態にし、固定具１を小径の連結部３の位置で固定するようになっている。なお、本実施形態の通し孔１２は、２本の紐１を一つの孔に通してこぶ部２をセットするようにしているが、左右各紐を通す２つの通し孔を並設する構造であっても良い。図中１３は、紐１の先端に取り付ける先端キャップである。
【００１８】
使用者は固定具１１の位置を、紐１に形成されている複数のこぶ部２に対して適宜にスライドさせることにより、紐１によって形成される輪の大きさを自分の頭の形状や大きさに合わせて調節し、好みの締め付け力に調整することができる。
【００１９】
固定具１１は、図８に示す通り、樹脂製（或いは金属製）からなり、１つの通し孔１２を有している。通し孔１２の内径は、こぶ部２の径より小さく、かつ連結部の径よりも大きく設定されている。また、固定具１１の長さ（孔１２の長さ）は、こぶ部２の間隔、即ち連結部３の長さより短く構成される。なお、固定具１１の構造は、図８に示すものに限らず、偏平な筒状体（パイプ）であっても良く、また２本の筒状体（パイプ）を適宜の間隔を空けて連結した構造であっても良い。更に通し孔１２の内部に適宜の抜け止め構造を有していても良い。
【００２０】
図３は、紐１の断面を模式的に示した図であり、（ａ）は外力を与えていない自然状態を示し、（ｂ）は軸線方向からの外力によって最大限に引っ張られた状態を示している。図２に示すとおり、紐１は、外形を形成する外層４と、当該外層４の内部全長に渡って連続して配置される芯材５とで構成される。外層４の構造は出願人による特許第５０７９９２６号と基本的に同じであり、伸縮性の糸と非伸縮性の糸を適宜の組合せで編み込んだ組紐であり、こぶ部２は疎に編み込むことで柔らかく膨出するよう形成され、連結部３は密に編み込むことで硬く細く形成されている（当該連結部３は、通常の紐と同様に実質的に弾性変形しない）。
【００２１】
芯材５は、外層４内に配置する細く弾性変形可能な編み紐であり、図３（ａ）に示すとおり、こぶ部２の内部において蛇行した状態で配置され、連結部３の内部では真っ直ぐに伸びた状態で配置されている。
【００２２】
芯材５は、天然ゴム、合成ゴム等の弾性素材からなる伸縮性糸と、ナイロン、ポリエステル等の非弾性素材からなる非伸縮性糸を、適宜の本数比で編み込んだ編紐（例えば組紐やリリアン編紐）として形成され、伸縮性を有する。芯材５の弾性力は、伸縮性糸と非伸縮性糸の本数比で変化させることができ、例えば、伸縮性糸と非伸縮性糸の本数比を１：１、１：２、１：３、１：４、１：５、１：６等の適宜の本数比で編むことができる。この本数比を適宜に決定することで、芯材５の弾性力を調整することができる。
【００２３】
また芯材５に用いる編紐は、伸縮性繊維と非伸縮性繊維を一体化した、いわゆる公知の伸縮性複合繊維糸のみを用いて編んだ編紐でも良い。この伸縮性複合繊維糸を用いる場合、微細な伸縮性繊維と微細な非伸縮性繊維を適宜の割合で配合することができるため、前記した伸縮性糸及び非伸縮性糸を用いる場合に比べて、芯材５の弾性力を微調整することができる。本願発明においては、芯材５の機能を考えて、伸縮性繊維の配合割合は、非伸縮性繊維に対して１５〜５０％の範囲とすることが好ましい。
【００２４】
図４は、紐１を製造する装置及び方法を模式的に示したものであり、上記により予め作成した芯材５を中心として、非伸縮性糸であるナイロン糸７と伸縮性糸であるゴム糸８を適宜の組合せで編み込むものであり、引き上げ速度を調整することにより疎又は密に編み込み、柔らかく膨出するこぶ部２と、硬く細い連結部３が外層４として形成される。同時に、その内部中心に位置する芯材５は、こぶ部２の内部で蛇行した状態で配置され、連結部３の内部では真っ直ぐに伸びた状態で配置される。
【００２５】
芯材５は、硬く細い連結部３の内部では外層４と密着（圧着）しており、柔らかく膨出したこぶ部２の内部では外層４と密着せず、ほぼフリーな蛇行状態となっている。
【００２６】
以上の装置と方法を用いて製造された紐１は、疎に編み込むことで柔らかく膨出するよう形成されたこぶ部２が軸線方向からの外力によって容易に弾性変形する一方、密に編み込むことで硬く細く形成される連結部３は、ほとんど変形しない。
【００２７】
こぶ部２は、外層４の弾性力と、芯材５の弾性力の２つによって外力に抗するとともに復元力を有するものであるが、例えば、通し孔１２にこぶ部２を通常の速度で通す際は、通し孔１２とこぶ部２の摩擦力は外層４のこぶ部の弾性力に比例するため、小さな力で通すことができる。即ち、この状態において芯材５はまだ弛緩及び／又は蛇行した状態であるためその弾性力はほとんど生じていないため、こぶ部２のみの弾性力に抗しながら紐穴を通すからである。一方、激しい運動シーン等で、紐１に大きな外力が急激に加わったとしても、こぶ部２が有する外層４の弾性力と芯材５が有する弾性力とが合わさることで抵抗力が増し、通し孔１２からこぶ部２が容易に抜けることが無い。
【００２８】
図５は、上記した第一実施形態の変形例に係る紐１の断面を模式的に説明するための図である。当該変形例は、複数種の径を有するこぶ部２が、紐１の軸線方向に配置されたものであり、額側は小さなこぶ部で、側頭部側は大きなこぶ部で締め付けるようにしてある。なお、図５は、あくまで模式的な図であり、左右の大きなこぶ部は、２個ではなく５〜７個の適宜の数で構成しても良い。
【００２９】
本第一実施形態及びその変形例において、芯材５はこぶ部２の内部で蛇行した状態としているが、真っ直ぐに伸びていない、いわゆる弛緩した状態であれば良い。
【００３０】
次に、本発明の第二実施形態について説明する。図６は紐１の断面を模式的に説明するための図であり、額側に位置する部分が、こぶ部２ではなく長尺弾性部６として形成されている。この長尺弾性部は、外層４の編み込過程において、連続した疎となるように形成するものであり、第一実施形態におけるこぶ部２と同様に、弾性変形可能となっている。なお第二実施形態に係る外層４の詳細構造は、出願人が提案した特願２０１７−５７３８３号を参照されたい。
【００３１】
芯材５は、長尺弾性部６の内部において蛇行（及び／又は弛緩）した状態で配置されており、紐１は、長尺弾性部６の弾性力と芯材５の２つの弾性力によって伸縮可能となっている。
【００３２】
なお、紐１の左右両側に配置されるストッパー用こぶ部１０は、固定具１１との係合用に形成した紐端部のこぶであり、いわゆる端部ストッパーとしての機能を持たせるためのものであって、第一実施形態における紐１の全長に渡って配置されるこぶ部２とは、その目的、機能を異にするものである。
【００３３】
また長尺弾性部６の自然状態における径は、紐１の左右両側に配置したストッパー用こぶ部１０の径と同径、又は小径、或いは大径であっても良い。更に、長尺弾性部６とストッパー用こぶ部１０との間、及びストッパー用こぶ部１０同士の間は、第一実施形態で説明した連結部３とすることができる。
【００３４】
次に、本発明の第三実施形態について説明する。図７は紐１の断面を模式的に説明するための図であり、外層４は、左右両側に配置されるストッパー用こぶ部１０を除く中間領域が、通常の組紐で形成されたヘアバンドと同径の中間領域９として形成されるとともに、当該中間領域９は、Ａ、Ｂ、Ｃの３種の異なる弾性力（引張弾性率）を有する領域に分けられている。この第二実施形態に係る外層の詳細構造は、出願人が提案した特願２０１８−１０４８６５号を参照されたい。また異なる弾性力は２種、或いは４種以上であってもよく、その配列は弾性力が徐々に小さく（又は大きく）なるように配置しても、或いは高・中・低・中・高・・・の順で繰り返し配置しても良い。
【００３５】
芯材５は、中間領域９の外層４の内部において弛緩（或いは蛇行）した状態で配置されており、紐１は、中間領域９の外層４の弾性力と芯材５の弾性力の２つの弾性力によって伸縮可能となっている。
【００３６】
第三実施形態に係る紐１は、第一、第二実施形態のようにこぶ部２や長尺弾性部を有する構成ではなく、外見は通常の断面円形な組紐からなるヘアバンドと同じであるが、中間領域９の外層４は、軸線方向に異なる弾性力を有する複数の領域が形成されているため、額部、側頭部に異なるテンションをかけることができ、また第一、第二発明のようなこぶ部２や長尺弾性部６を有さないため、見た目もすっきりとしたヘアバンドとすることができる。
【００３７】
さらに中間領域９の外層４の弾性力に加え、その内部に蛇行（及び／又は弛緩）した状態で配置されている芯材５の弾性力が加わることによって、激しい運動シーンにおいても位置づれを抑止することができる。
【００３８】
なお、紐１の左右両側に配置されるストッパー用こぶ部１０は、第二実施形態と同様に、ヘアバンドのセット状態を維持するためのこぶであり、いわゆる端部ストッパーとしての機能を持たせるためのものであって、第一実施形態における紐１の全長に渡って配置されるこぶ部２とは、その目的、機能を異にするものである。ストッパー用こぶ部１０同士の間は、第一実施形態で説明した連結部３とすることができる。
【００３９】
また上記各実施形態において、芯材５は組紐又はリリアン編紐として説明したが、それ以外の各種の編紐でもよく、更には撚紐であっても良い。いずれにしても、芯材５は、伸縮性の繊維と非伸縮性の繊維とを組み合わせた伸縮性を有する紐（弾性複合繊維紐）であれば良い。
【００４０】
上記第二、第三実施形態に係る紐１の製造方法は、基本的に第一実施形態と同様であるため詳細な説明は省略する。
【００４１】
以上のとおり、本願の各発明に係るヘアバンドによれば、弾性変形可能なこぶ部によって使用者の頭部を点で緊締することで適度な締め付け効果を発揮するとともに、固定具による長さ調節により、使用者の頭部の大きさ、形状、好みに応じた締め付け力を調整できる。また適度な大きさからなる弾性変形可能な長尺弾性部によって使用者の頭部を緊締することで適度な締め付け効果を発揮するとともに、固定具による長さ調節により、使用者の頭部の大きさ、形状、好みに応じた締め付け力を調整できる。更に、引張弾性率が異なる複数の弾性部によって使用者の頭部を緊締することで適度な締め付け効果を発揮するとともに、固定具による長さ調節により、使用者の頭部の大きさ、形状、好みに応じた締め付け力を調整できる。
【符号の説明】
【００４２】
１  ヘアバンド紐
２  こぶ部
３  連結部
４  外層
５  芯材
６  長尺弾性部
７  ナイロン糸
８  ゴム糸
９  中間領域
１０  ストッパー用こぶ部
１１  固定具
１２  通し孔
１３  先端キャプ
【図１】
2020162717.tif 000003
【図２】
2020162717.tif 000004
【図３】
2020162717.tif 000005
【図４】
2020162717.tif 000006
【図５】
2020162717.tif 000007
【図６】
2020162717.tif 000008
【図７】
2020162717.tif 000009
【図８】
2020162717.tif 000010
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
こぶ部を軸線方向に複数配置し、軸線方向に弾性変形可能な紐と、前記紐の両端を合わせて固定する固定具からなるヘアバンドであって、
前記紐は、当該紐の外形を形成する外層と、当該外層の内部全長に渡って連続配置される芯材からなり、
前記外層は、
外層用糸が疎に編み込まれた前記こぶ部と、前記外層用糸が密に編み込まれ、かつ前記こぶ部より小径な連結部とから構成され、当該外層に形成される前記こぶ部は弾性変形可能であり、
前記芯材は、
伸縮性を有する紐で構成され、前記こぶ部の内部に弛緩及び／又は蛇行した状態で配置され、
前記固定具は、前記こぶ部の外径より小さく、かつ前記連結部の径より大きな１つ又は２つの通し孔を有する、
ことを特徴とする弾性変形可能なヘアバンド。
【請求項２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項１に記載の弾性変形可能なヘアバンド。
【請求項３】
前記芯材に用いる前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項１に記載の弾性変形可能なヘアバンド。
【請求項４】
前記伸縮性糸は、合成ゴム又は天然ゴム素材からなる、
ことを特徴とする請求項２又は３に記載の弾性変形可能なヘアバンド。
【請求項５】
前記非伸縮性糸は、ナイロン又はポリエステル素材からなる、
ことを特徴とする請求項２又は３に記載の弾性変形可能なヘアバンド。
【請求項６】
前記芯材に用いる前記紐は、組紐又はリリアン編み紐である、
ことを特徴とする請求項２又は３に記載の弾性変形可能なヘアバンド。
【請求項７】
前記外層は、組紐である、
ことを特徴とする請求項１ないし６のいずれか１項に記載の弾性変形可能なヘアバンド。
【請求項８】
前記外層用糸は、伸縮性糸と非伸縮性糸との組合せである、
ことを特徴とする請求項１ないし７のいずれか１項に記載の弾性変形可能なヘアバンド。
【請求項９】
前記こぶ部の径は、全て同一径である、
ことを特徴とする請求項１ないし８のいずれか１項に記載の弾性変形可能なヘアバンド。
【請求項１０】
前記こぶ部の径は、複数の異なる径で構成される、
ことを特徴とする請求項１ないし８のいずれか１項に記載の弾性変形可能なヘアバンド。
【請求項１１】
こぶ部と長尺弾性部を軸線方向に配置し、軸線方向に弾性変形可能な紐と、前記紐の両端を合わせて固定する固定具からなるヘアバンドであって、
前記紐は、当該紐の外形を形成する外層と、当該外層の内部全長に渡って連続配置される芯材からなり、
前記外層は、
外層用糸が疎に編み込まれた前記こぶ部及び前記長尺弾性部と、前記外層用糸が密に編み込まれ、かつ前記こぶ部及び前記長尺弾性部より小径な連結部とから構成され、当該外層の前記こぶ部及び前記長尺弾性部は弾性変形可能であり、
前記芯材は、
伸縮性を有する紐で構成され、前記こぶ部の内部及び前記長尺弾性部の内部に弛緩及び／又は蛇行した状態で配置され、
前記こぶ部は、前記紐の両端側に複数個対称に配置され、
前記固定具は、前記こぶ部の外径より小さく、かつ前記連結部の径より大きな１つ又は２つの通し孔を有する、
ことを特徴とする弾性変形可能なヘアバンド。
【請求項１２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項１１に記載の弾性変形可能なヘアバンド。
【請求項１３】
前記芯材に用いる前記前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項１１に記載の弾性変形可能なヘアバンド。
【請求項１４】
前記伸縮性糸は、合成ゴム又は天然ゴム素材からなる、
ことを特徴とする請求項１２又は１３に記載の弾性変形可能なヘアバンド。
【請求項１５】
前記非伸縮性糸は、ナイロン又はポリエステル素材からなる、
ことを特徴とする請求項１２又は１３に記載の弾性変形可能なヘアバンド。
【請求項１６】
前記芯材に用いる前記紐は、組紐又はリリアン編み紐である、
ことを特徴とする請求項１２又は１３に記載の弾性変形可能なヘアバンド。
【請求項１７】
前記外層は、組紐である、
ことを特徴とする請求項１１ないし１６のいずれか１項に記載の弾性変形可能なヘアバンド。
【請求項１８】
前記外層用糸は、伸縮性糸と非伸縮性糸との組合せである、
ことを特徴とする請求項１１ないし１７のいずれか１項に記載の弾性変形可能なヘアバンド。
【請求項１９】
前記こぶ部の径と前記長尺弾性部の径は、同一径である、
ことを特徴とする請求項１１ないし１８のいずれか１項に記載の弾性変形可能なヘアバンド。
【請求項２０】
前記長尺弾性部の径は、前記こぶ部の径より小径又は大径である、
ことを特徴とする請求項１１ないし１８のいずれか１項に記載の弾性変形可能なヘアバンド。
【請求項２１】
左右両端領域に弾性変形可能なこぶ部を複数対象に配置し、軸線方向に弾性変形可能な紐と、前記紐の両端を合わせて固定する固定具からなるヘアバンドであって、
前記左右両端領域を除く中間領域が異なる弾性力を有する複数の領域に分けられて構成され、かつ軸線方向全長に渡って断面が略同一の円形形状であり、
前記紐は、当該紐の外形を形成する外層と、当該外層の内部全長に渡って連続配置される芯材からなり、
前記外層の前記中間領域は、外層用糸を異なる編み込みにより異なる弾性力を有する領域が複数形成され、
前記外層の前記左右両端領域は、前記外層用糸を疎に編み込んで形成される前記こぶ部と、前記外層用糸を密に編み込んで形成される連結部とで構成され、
前記芯材は、伸縮性を有する紐で構成され、前記中間領域の内部に弛緩及び／又は蛇行した状態で配置され、
前記こぶ部と前記こぶ部の間に形成される前記連結部は、弾性変形せず、かつこぶ部の径より小径であり、
前記固定具は、前記こぶ部の外径より小さく、かつ前記連結部の径より大きな１つ又は２つの通し孔を有する、
ことを特徴とする弾性変形可能なヘアバンド。
【請求項２２】
前記芯材に用いる前記伸縮性を有する紐は、伸縮性糸と非伸縮性糸を、１：１、１：２、１：３、１：４、１：５のいずれかの本数比で編んだ編紐、又は撚った撚紐である、
ことを特徴とする請求項２１に記載の弾性変形可能なヘアバンド。
【請求項２３】
前記芯材に用いる前記伸縮性を有する紐は、伸縮性繊維と非伸縮性繊維を一体化した伸縮性複合繊維糸を用いて編んだ編紐、又は撚った撚紐であり、前記伸縮性繊維の配合割合は、前記非伸縮性繊維に対して１５〜５０％である、
ことを特徴とする請求項２１に記載の弾性変形可能なヘアバンド。
【請求項２４】
前記伸縮性糸は、合成ゴム又は天然ゴム素材からなる、
ことを特徴とする請求項２２又は２３に記載の弾性変形可能なヘアバンド。
【請求項２５】
前記非伸縮性糸は、ナイロン又はポリエステル素材からなる、
ことを特徴とする請求項２２又は２３に記載の弾性変形可能なヘアバンド。
【請求項２６】
前記芯材に用いる前記紐は、組紐又はリリアン編み紐である、
ことを特徴とする請求項２２又は２３に記載の弾性変形可能なヘアバンド。
【請求項２７】
前記外層は、組紐である、
ことを特徴とする請求項２１ないし２６のいずれか１項に記載の弾性変形可能なヘアバンド。
【請求項２８】
前記外層用糸は、伸縮性糸と非伸縮性糸との組合せである、
ことを特徴とする請求項２１ないし２７のいずれか１項に記載の弾性変形可能なヘアバンド。
【請求項２９】
前記中間領域は、弾性力が異なる２種類又は３種類の領域を、軸線方向に沿って交互に配置して構成されている、
ことを特徴とする請求項２１ないし２８のいずれか１項に記載の弾性変形可能なヘアバンド。
【請求項３０】
前記中間領域は、一方端部から他方端部に向かって、弾性力が徐々に低くなる複数の領域を軸線方向に沿って順に配置して構成されている、
ことを特徴とする請求項２１ないし２８のいずれか１項に記載の弾性変形可能なヘアバンド。